(57)【特許請求の範囲】
【請求項１】
複数の操作キーを有する操作手段と、
前記操作手段の複数の操作キーの組み合わせをキー操作列として記憶するキー記憶手段と、
電源電力の供給／供給停止が独立して制御可能な複数の機能手段への電源電力の供給を停止している省電力状態において、前記操作手段での複数のキー操作内容を、前記キー記憶手段のキー操作列と照らし合わせて、複数の前記機能手段への電源電力の供給開始を一括してまたは部分的に制御する省電力制御手段と、
前記省電力状態に移行する前に前記キー記憶手段に前記キー操作列を記憶させるキー操作列登録手段とを備え、
前記キー操作列登録手段を動作させる演算装置に対する電源電力の供給が、前記省電力状態において停止され、
前記省電力制御手段は、前記演算装置に対して電力が供給されていない省電力状態において動作することを特徴とする画像処理装置。
【請求項２】
前記キー記憶手段は、
少なくとも３つの操作キーからなるキー操作列を記憶し、
前記省電力制御手段は、
前記操作手段でのキー操作のキー操作列を順次記憶する操作内容記憶手段を備え、
前記キー記憶手段が記憶する前記キー操作列の操作キーの数よりも１つ少ない前記操作手段でのキー操作までは、該操作手段でのキー操作毎に、複数の前記機能手段への電力供給を選択的に開始するとともに、該キー操作を前記操作内容記憶手段に順次キー操作列として記憶して、該キー記憶手段が記憶する該キー操作列における操作キーの数に対応するキー操作が該操作手段で行われると、該操作内容記憶手段のキー操作列を該キー記憶手段のキー操作列と照らし合わせて、一致すると、全ての該機能手段への電源電力の供給を開始し、不一致であると、全ての該機能手段への電源電力の供給を停止することを特徴とする請求項１記載の画像処理装置。
【請求項３】
前記キー記憶手段は、
複数の前記キー操作列を記憶し、
前記省電力制御手段は、
前記操作手段でのキー操作内容が前記キー記憶手段のいずれかの前記キー操作列に一致すると、電源電力の供給を開始することを特徴とする請求項１または請求項２記載の画像処理装置。
【請求項４】
前記操作手段は、
複数の発光素子を備えており、
前記省電力制御手段は、
前記複数の発光素子のうち、複数の前記機能手段への電源電力の供給段階に応じて定めれらた発光素子を点灯させることを特徴とする請求項１から請求項３のいずれかに記載の画像処理装置。
【発明の詳細な説明】
【技術分野】
【０００１】
本発明は、画像処理装置に関し、詳細には、省電力効果を向上させた複合装置、プリンタ装置等の画像処理装置に関する。
【背景技術】
【０００２】
プリンタ装置、複合装置、ファクシミリ装置、複写装置、スキャナ装置等の画像処理装置においては、近年の省エネルギーの要望から待機状態で所定の待ち時間が経過すると、消費電力の削減を行う省電力状態（省エネルギー状態）に移行し、所定の復帰要因に基づいて電力の供給を再開して通常動作可能な待機状態に復帰する省電力モードを備えている。
【０００３】
そして、従来、画像処理装置は、省電力モードからの復帰要因として、例えば、スキャナ部への原稿のセットを検出するセンサ、画像処理装置の内部を開閉する開閉扉の開動作を検出するセンサ等の検出信号、操作表示部での所定のキー操作、ネットワーク等を介した通信要求等を、ＣＰＵ（Central Processing Unit ）への省電力復帰の割り込み信号として用いて、ＣＰＵの制御下で電力供給を再開させて省電力状態から待機状態に復帰させている。
【０００４】
したがって、省電力状態においても、省電力復帰の割り込み信号を受け取って省電力状態から待機状態へ復帰させるＣＰＵに対しては、通電を行う必要がある。
【０００５】
そして、従来、予め登録された組み合わせの複数の操作キーが操作されたことを条件に省エネルギー状態を解除する制御部を備えた原稿読取記録装置が提案されている（特許文献１参照）。すなわち、この従来技術は、操作表示部のキー操作を省電力復帰要因とする場合に、複数の操作キーが行われることを省電力復帰の条件とすることで、不必要に、また、不用意に、省電力モードから待機状態に復帰して省電力効果の向上を図っている。
【発明の概要】
【発明が解決しようとする課題】
【０００６】
しかしながら、上記従来技術にあっては、複数の操作キーが操作されることを省電力復帰の条件として検出する制御部を設けているため、複数の操作キーの操作を省電力条件として検出するためのＣＰＵ等を備えた制御部に、省電力状態においても電力供給する必要があり、省電力効果をより一層向上させる上で、改良の必要があった。
【０００７】
そこで、本発明は、ＣＰＵを用いることなく、複数のキー操作を省電力復帰条件として省電力状態から復帰して、省電力効果を向上させることのできる画像処理装置を提供することを目的としている。
【課題を解決するための手段】
【０００８】
本発明は、上記目的を達成するために、操作手段の複数の操作キーからなる組み合わせをキー操作列として予めキー記憶手段に記憶し、電源電力の供給／供給停止が独立して制御可能な複数の機能手段への電源電力の供給を停止している省電力状態において、操作手段での複数のキー操作内容を、該キー記憶手段のキー操作列と照らし合わせて、複数の該機能手段への電源電力の供給開始を一括してまたは部分的に制御することを特徴としている。
【０００９】
また、本発明は、前記キー記憶手段が、少なくとも３つの操作キーからなるキー操作列を記憶し、前記操作手段でのキー操作のキー操作列を操作内容記憶手段に順次記憶して、前記キー記憶手段が記憶する前記キー操作列の操作キーの数よりも１つ少ない前記操作手段でのキー操作までは、該操作手段でのキー操作毎に、複数の前記機能手段への電力供給を選択的に開始するとともに、該キー操作を該操作内容記憶手段に順次キー操作列として記憶して、該キー記憶手段が記憶する該キー操作列における操作キーの数に対応するキー操作が該操作手段で行われると、該操作内容記憶手段のキー操作列を該キー記憶手段のキー操作列と照らし合わせて、一致すると、全ての該機能手段への電源電力の供給を開始し、不一致であると、全ての該機能手段への電源電力の供給を停止することを特徴としてもよい。
【００１０】
さらに、本発明は、前記キー記憶手段が、複数の前記キー操作列を記憶し、前記操作手段でのキー操作内容が前記キー記憶手段のいずれかの前記キー操作列に一致すると、電源電力の供給を開始することを特徴としてもよい。
【発明の効果】
【００１１】
本発明によれば、ＣＰＵを用いることなく、複数のキー操作を省電力復帰条件として省電力状態から復帰して、省電力効果を向上させることができる。
【図面の簡単な説明】
【００１２】
【図１】本発明の一実施例を適用した画像処理装置のブロック構成図。
【図２】操作表示部の部分平面図。
【図３】コントローラＬＳＩと電源系統の回路構成図。
【図４】操作監視部のブロック構成図。
【図５】状態遷移とコントローラＬＳＩ各部の電源電力状態を示す図。
【図６】省電力復帰要因とその内容を示す図。
【図７】２段階のキー操作による状態遷移を示す図。
【図８】３段階のキー操作による状態遷移を示す図。
【図９】省電力状態に応じた操作表示部のＬＥＤの点灯／消灯の一例を示す図。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図９は、本発明の画像処理装置の一実施例を示す図であり、図１は、本発明の画像処理装置の一実施例を適用した画像処理装置１のブロック構成図である。
【００１５】
図１において、画像処理装置１は、コントローラＬＳＩ(Large Scale Integration ）２、エンジン３、ＲＯＭ（Read Only Memory）４、操作表示部５、ＵＳＢ（Universal Serial Bus）メモリ６及び外部ＲＡＭ（Random Access Memory）７等を備えており、スキャナ装置、複写装置、ファクシミリ装置、プリンタ装置、複合装置等である。画像処理装置１は、ＬＡＮ（Local Area Network）等のネットワークＮＷに接続されており、また、パーソナルコンピュータＰＣが接続される。
【００１６】
エンジン３は、原稿を主走査及び副走査して該原稿の画像をＲＧＢ（赤（Red）、緑（Green）、青（Blue））で読み取るスキャナ、コントローラＬＳＩ２からのＣ（シアン）、Ｍ（マゼンタ）、Ｙ（イエロー）、Ｋ（ブラック）の画像データに基づいてカラー画像を用紙に形成するプロッタ等のエンジンである。
【００１７】
ＲＯＭ４は、画像処理装置１の基本プログラムやその他のプログラム、例えば、本発明の省電力制御方法を実行する省電力制御プログラム及び必要なデータが予め格納されている。
【００１８】
操作表示部（操作手段）５は、画像処理装置１を操作するのに必要な各種キーを備えるとともに、ディスプレイ（例えば、液晶ディスプレイ）やＬＥＤ（Light Emitting Diode）等のランプを備えており、操作キーからは、複写装置１を利用した複写処理に必要な各種操作や後述するように集約記録機能を使用した記録処理での各種操作が行われ、また、ディスプレイには、操作キーから入力された命令内容や画像処理装置１からオペレータに通知する各種情報が表示される。特に、操作表示部５は、図２に示すように、キャンセル（ＣＡＮＣＥＬ）キーＬＥＤ５１、電源スイッチ（ＰＷＲ）ＬＥＤ５２、エンジン３のプロッタで使用しているＣＭＹＫのインクのニアエンドを通知するＣ用ＬＥＤ５３、Ｍ用ＬＥＤ５４、Ｙ用ＬＥＤ５５、Ｋ用ＬＥＤ５６が設けられており、これらのＬＥＤ５１〜５６のうち、キャンセルキーＬＥＤ５１と電源スイッチＬＥＤ５２は、操作キーを兼ねている。即ち、キャンセルキーＬＥＤ５１は、各種動作指示、動作及び省電力状態の解除等の操作を行う操作キーとして用いられ、電源スイッチＬＥＤ５２は、押下操作されることで、電源のオン／オフをトグルに操作することができる。
【００１９】
ＵＳＢメモリ６は、画像処理装置１に着脱可能に装着され、画像データ等の必要な各種データを画像処理装置１との間で授受する。
【００２０】
外部ＲＡＭ７は、ワークメモリ等として使用され、エンジン３のスキャナで読み取られた画像データ、エンジン３で印刷出力される画像データ及びその他のワークデータの記憶に利用される。
【００２１】
コントローラＬＳＩ２は、省電力制御部１０、Ｉ／Ｏ制御部２０及びメイン制御部３０の３つのブロックに大きく分かれており、省電力制御部１０は、省電力復帰条件監視部１１、操作監視部１２、ＵＳＢペリフェラルＩ／Ｆ１３、ＲＡＭ１４及びＴＭＲ（タイマ）１５等を備えている。また、Ｉ／Ｏ制御部２０には、Ｉ／Ｏ  ＣＰＵ２１、ネットワーク制御部２２及びメモリコントローラ２３等を備えており、メイン制御部３０は、メインＣＰＵ３１、画像処理部３２、エンジン制御部３３、エンジンＩ／Ｆ３４、外部バスＩ／Ｆ３５、操作部Ｉ／Ｆ３７及びＵＳＢホストＩ／Ｆ３８等を備えている。コントローラＬＳＩ２は、省電力制御部１０、Ｉ／Ｏ制御部２０及びメイン制御部３０間及び各部１０、２０、３０内の各部が、バス４０により接続されている。
【００２２】
Ｉ／Ｏ制御部（機能手段）２０は、ネットワーク制御部２２にＬＡＮ等のネットワークが接続され、ネットワーク制御部２２は、Ｉ／Ｏ  ＣＰＵ２１の制御下で、ネットワークを介した通信を制御する。
【００２３】
Ｉ／Ｏ制御部２０のメモリコントローラ２３は、外部ＲＡＭ７に接続されているとともにメイン制御部３０のバス４０に接続されており、Ｉ／Ｏ  ＣＰＵ２１及びメイン制御部３０のメインＣＰＵ３１からの要求に応じて、外部ＲＡＭ７の読み書きのアクセスを制御する。すなわち、外部ＲＡＭ７は、Ｉ／Ｏ制御部２０のＩ／Ｏ  ＣＰＵ２１とメイン制御部３０のメインＣＰＵ３１の双方によって利用される。
【００２４】
Ｉ／Ｏ  ＣＰＵ２１は、ネットワーク制御部２２及びメモリコントローラ２３を制御して、各種Ｉ／Ｏ制御を行う。
【００２５】
メイン制御部（メイン制御手段）３０のエンジンＩ／Ｆ３４には、上記エンジン３が、外部バスＩ／Ｆ３５には、上記ＲＯＭ４が、操作部Ｉ／Ｆ３６には、上記操作表示部５が、ＵＳＢホストＩ／Ｆ３７には、上記ＵＳＢメモリ６が、それぞれ接続されている。
【００２６】
メインＣＰＵ３１は、ＲＯＭ４内のプログラムに基づいて、画像処理装置１の各部を制御して、画像処理装置１としての基本処理を実行するとともに、後述する省電力復帰処理の設定処理を行う。
【００２７】
画像処理部３２は、エンジン３のスキャナ部で読み取られた画像データに対する各種画像処理（例えば、補正処理、変倍処理、回転処理等）を行うとともに、エンジン部３のプロッタ部で記録出力に使用する画像データに対して、プロッタ部に応じた画像データへの変換等の各種画像処理を行う。
【００２８】
エンジン制御部３３は、メインＣＰＵ３１の制御下で、エンジンＩ／Ｆ３４を介して、エンジン３の動作を制御する。
【００２９】
省電力制御部１０は、ＣＰＵを搭載しておらず、省電力復帰条件監視部１１が省電力状態から通常動作可能な状態に電源電力が供給される待機状態への省電力復帰要因の発生を検出して、電源電力の供給を要求する。
【００３０】
省電力制御部１０のＲＡＭ１４は、省電力制御部１０の動作に必要な各種データを記憶する。
【００３１】
ＵＳＢペリフェラルＩ／Ｆ１３は、ＵＳＢケーブルによって外部コンピュータＰＣが接続され、外部コンピュータＰＣとの間で、データの授受、特に、外部コンピュータＰＣからの印刷要求を受信する。ＵＳＢペリフェラルＩ／Ｆ１３は、外部コンピュータＰＣから印刷要求を受信すると、バス４０を介して、メインＣＰＵ３１に印刷要求を渡すとともに、省電力復帰条件監視部１１に復帰リクエスト信号を出力する。
【００３２】
ＴＭＲ１５は、各種時間の計時、特に、画像処理装置１の待機状態に入ってから予め設定されている省電力状態へ移行する待ち時間の計時を行って、待ち時間が経過すると、省電力移行リクエスト信号を省電力復帰条件監視部１１に出力する。
【００３３】
操作監視部１２には、操作表示部５のキー入力信号が入力され、予め登録されているキー入力信号が入力されると、ハードウェア的に省電力復帰操作が行われたとして、省電力復帰条件監視部１１に復帰リクエスト信号を出力する。
【００３４】
省電力復帰条件監視部１１には、操作監視部１２、ＴＭＲ１５及びＵＳＢベリフェラルＩ／Ｆ２３から復帰リクエスト信号が入力され、いずれかの復帰リクエスト信号が入力されると、後述するように、電源制御信号Ｓｐ１、Ｓｐ２、Ｓｐ３を出力する。
【００３５】
省電力制御部１０は、電源制御信号Ｓｐ１、Ｓｐ２、Ｓｐ３を制御して、電源制御回路６１から省電力制御部１０、Ｉ／Ｏ制御部２０及びメイン制御部３０への電源電力の供給／供給停止を制御するが、この電源制御信号Ｓｐ１、Ｓｐ２、Ｓｐ３を制御を、Ｉ／Ｏ制御部２０のＩ／Ｏ  ＣＰＵ２１またはメイン制御部３０のメインＣＰＵ３１から省電力制御部１０のレジスタ値を設定することで行う。
【００３６】
そして、コントローラＬＳＩ２は、図３に示すように、省電力制御部１０、Ｉ／Ｏ制御部２０及びメイン制御部３０の３つのブロックに分けられており、各ブロック１０、２０、３０の間は、アイソレーションセルにより電源分離されていて、各ブロック１０、２０、３０別に電源電力のオン／オフが可能となっている。
【００３７】
すなわち、コントローラＬＳＩ２は、図３に示すように、省電力制御部１０には、電源制御回路６１と電源監視回路７１が、Ｉ／Ｏ制御部２０には、電源制御回路６２と電源監視回路７２が、メイン制御部３０には、電源制御回路６３と電源監視回路７３が、それぞれ接続されており、各電源制御回路６１、６２、６３には、図示しない電源供給回路からの電源電力が供給されるとともに、電源スイッチＬＥＤ５２からの電源スイッチ信号Ｓｗが入力されている。
【００３８】
電源制御回路６１、６２、６３は、電源スイッチＬＥＤ５２が押下されて電源スイッチ信号Ｓｗがアサートされると、それぞれ対応する省電力制御部１０、Ｉ／Ｏ制御部２０及びメイン制御部３０に、電源電力Ｐｗ１、Ｐｗ２、Ｐｗ３の供給を開始し、省電力制御部１０から入力されている電源制御信号Ｓｐ１、Ｓｐ２、Ｓｐ３が、ローレベルになると、それぞれ対応する省電力制御部１０、Ｉ／Ｏ制御部２０及びメイン制御部３０に供給していた電源電力Ｐｗ１、Ｐｗ２、Ｐｗ３の供給を停止する。
【００３９】
電源監視回路７１、７２、７３は、各電源制御回路６１、６２、６３から対応する省電力制御部１０、Ｉ／Ｏ制御部２０及びメイン制御部３０への電源電力の供給／供給停止を監視して、電源電力の供給停止の状態から供給開始に切り替わると、対応する省電力制御部１０、Ｉ／Ｏ制御部２０及びメイン制御部３０に対してリセット信号Ｓｒ１、Ｓｒ２、Ｓｒ３を出力して、省電力制御部１０、Ｉ／Ｏ制御部２０及びメイン制御部３０をリセットさせる。
【００４０】
そして、省電力制御部１０の操作監視部１２は、図４に示すように、ノイズフィルタ８１、エッジ検出回路８２、状態制御・操作判定部８３及びキー登録部８４等を備えている。
【００４１】
ノイズフィルタ８１には、操作表示部５から複数の操作キーから、キー操作（押下操作）されるとローレベルにアサートされるキー入力信号が入力され、ノイズフィルタ８１は、キー入力信号に対してノイズ除去処理を行って、エッジ検出回路８２に出力する。なお、キー入力信号は、キー操作によってローレベルにアサートされるものとしているが、ローレベルにアサートされる信号に限るものではなく、例えば、ハイレベルにアサートされる信号であってもよいが、本実施例では、便宜上、キー操作によってローレベルにアサートされる信号であるとする。
【００４２】
エッジ検出回路８２は、ノイズフィルタ８１でノイズの除去されたキー入力信号のエッジ（立ち下がりエッジ）を検出し、検出信号を状態制御・操作判定部８３に出力する。
【００４３】
状態制御・操作判定部８３は、エッジ検出回路８２から入力されるキー入力信号に基づいて、キー登録部８４のキー登録内容を参照して、例えば、図５に示すような状態遷移を制御する。キー登録部（キー記憶手段）８４は、操作監視部１２に内蔵されているレジスタ、ＳＲＡＭ（Static Random Access Memory）等のメモリであり、省電力モードに移行する前に、ユーザ等のキー操作に基づいて、メインＣＰＵ３１によって各省電力モードからの復帰キーの組み合わせ（キー操作列）が登録される。
【００４４】
図５の省電力状態遷移図は、省電力状態からの復帰に２回のキー操作が必要な例であり、省電力状態に移行する前の待機状態Ｊｉ（待機・動作状態）では、省電力制御部１０、Ｉ／Ｏ制御部２０及びメイン制御部３０が、電源電力Ｐｗ１、Ｐｗ２、Ｐｗ３が供給されているオン（ＯＮ）状態、第１省電力状態Ｊ１では、省電力制御部１０とＩ／Ｏ制御部２０が、電源電力Ｐｗ１、Ｐｗ２が供給されていてオン（ＯＮ）状態で、メイン制御部３０が電源電力Ｐｗ３が供給されていないオフ（ＯＦＦ）状態、第２省電力状態Ｊ２では、省電力制御部１０が、電源電力Ｐｗ１が供給されていてオン（ＯＮ）状態、Ｉ／Ｏ制御部２０とメイン制御部３０が電源電力Ｐｗ２、Ｐｗ３が供給されていないオフ（ＯＦＦ）状態、電源ＯＦＦ状態Ｊｆで、省電力制御部１０、Ｉ／Ｏ制御部２０及びメイン制御部３０が、オフ状態であって電源電力Ｐｗ１、Ｐｗ２、Ｐｗ３が供給されていない状態である。すなわち、確証電力状態Ｊ１、Ｊ２等への移行は、Ｉ／Ｏ制御部２０、メイン制御部３０への電源電力Ｐｗ１、Ｐｗ２、Ｐｗ３の供給停止、供給再開によって行われる。
【００４５】
画像処理装置１は、電源オフ状態Ｊｆにおいて、電源スイッチＬＥＤ５２が押下されてで電源スイッチ信号Ｓｗがアサートされると、電源制御回路６１、６２、６３が、それぞれ対応する省電力制御部１０、Ｉ／Ｏ制御部２０及びメイン制御部３０に、電源電力Ｐｗ１、Ｐｗ２、Ｐｗ３を供給して、省電力制御部１０、Ｉ／Ｏ制御部２０及びメイン制御部３０が動作可能な状態待機・動作状態Ｊｉに移行し、待機状態Ｊｉにおいて、動作要求がなく所定の待ち時間が経過すると、省電力制御部１０が、メイン制御部３０の電源制御回路６３に出力している電源制御信号Ｓｐ３をローレベルに切り替えて、電源制御回路６３からメイン制御部３０に供給している電源電力Ｐｗ３をオフさせて、第２省電力状態Ｊ２に移行する。省電力制御部１０は、第２省電力状態Ｊ２において、ネットワーク受信等が発生していないときには、Ｉ／Ｏ制御部２０の電源制御回路６２に出力している電源制御信号Ｓｐ２をローレベルに切り替えて、電源制御回路６２からＩ／Ｏ制御部２０に供給している電源電力Ｐｗ２をオフにさせて、第１省電力状態Ｊ１に移行する。また、省電力制御部１０は、第２省電力状態Ｊ２において、ネットワーク送受信が発生しているときには、該ネットワーク送受信が完了した後、所定の待ち時間が経過するのを待って、上記同様に、第１省電力状態Ｊ１に移行する。この第１省電力状態Ｊ１では、メイン制御部３０及びＩ／Ｏ制御部２０への電源電力Ｐｗ３、Ｐｗ２が供給されておらず、メインＣＰＵ３１及びＩ／Ｏ  ＣＰＵ２１への電源電力の供給も停止されているため、省電力制御部１０のハードウェアのみのが動作状態となる。
【００４６】
そして、省電力制御部１０は、第１省電力状態Ｊ１及び第２省電力状態Ｊ２において、省電力復帰要因が発生すると、第２省電力状態Ｊ２に移行し、さらに、後述する省電力復帰要因が発生すると、後述するウェークアップ状態Ｊｗを経由して、あるいは、第１省電力状態Ｊ１から直接ウェークアップ状態Ｊｗを経由して、待機・動作状態Ｊｉに移行する。
【００４７】
そして、省電力制御部１０は、図６に示すように、ＵＳＢ受信、ネットワーク受信、タイマトリガ、インクカートリッジカバーオープン及び操作部（操作表示部５）のキー入力を省電力復帰要因（省電力復帰条件）として省電力状態（図５の場合、第１省電力状態Ｊ１、第２省電力状態Ｊ２）から復帰する。ここで、ＵＳＢ受信は、ＵＳＢホストＩ／Ｆ３７に接続されるＵＳＢメモリ６からの情報取得や印刷ジョブ等のＵＳＢ受信であり、ネットワーク受信は、Ｉ／Ｏ制御部２０のネットワーク制御部２２に接続されているネットワークＮＷからの情報取得、印刷ジョブの受信等である。ただし、ネットワーク環境下では、応答の不要なパケットや対応していないパケットを受信することがあるため、省電力復帰条件監視部１１は、パケットフィルタリング機能（図示略）を備えており、予めパターンマッチングテーブルが設定されていて、受信したパケットが設定されているパターンマッチングテーブルとマッチした場合に復帰条件が発生したと判断する。タイマトリガは、ＴＭＲ１５からタイムアウトによって入力され、例えば、定期的にクリーニング（エンジン３のインクジェットプロッタにおけるメンテナンス動作）用にＴＭＲ１５に設定されたクリーニングタイムのタイムアウトによって入力されるトリガである。インクカートリッジカバーオープンは、画像処理装置１に設けられているインクカートリッジカバーの開閉を検出するセンサからの入力信号を監視して、該カバー開閉検出センサからの検出信号のエッジを検出すると復帰条件が発生したとする。操作部のキー入力は、操作表示部５でのキー入力によって入力されるキー入力信号であり、いずれのキー入力信号によって復帰要因とするかは、上述のように、キー登録部８４への等力によって設定される。
【００４８】
なお、タイマトリガとして、本実施例の画像処理装置１では、省電力制御部１０のＴＭＲ１５を用いているが、長時間の計測が必要な場合は、コントローラＬＳＩ２の外部にＲＴＣ（リアルタイムクロック；Real Time Clock ）を搭載し、アラーム機能を使用してコントローラＬＳＩ２外部から復帰リクエスト信号を入力してもよい。
【００４９】
そして、画像処理装置１は、ＲＯＭ４等に本発明の省電力制御方法を実行する省電力制御プログラムを導入することでプログラムでの実施も可能である。すなわち、画像処理装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の省電力制御方法を実行する省電力制御プログラムを読み込んでＲＯＭ４等に導入することで、後述する複数のキー操作によって省電力復帰をＣＰＵ（メインＣＰＵ３１等）を省電力復帰処理自体に用いることなく実行して、より一層省電力効果を向上させる省電力制御方法を実行する画像処理装置として構築されている。この省電力制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００５０】
次に、本実施例の作用を説明する。本実施例の画像処理装置１は、ＣＰＵを用いることなく省電力復帰を行って、省電力効果を向上させる。
【００５１】
画像処理装置１は、図５に示したように、複数段階の省電力状態Ｊ１、Ｊ２を備えており、省電力状態に移行する前の待機状態Ｊｉ（待機・動作状態）では、省電力制御部１０、Ｉ／Ｏ制御部２０及びメイン制御部３０が、オン（ＯＮ）状態であって電源電力Ｐｗ１、Ｐｗ２、Ｐｗ３が供給されている状態、第２省電力状態Ｊ２では、省電力制御部１０とＩ／Ｏ制御部２０が、オン（ＯＮ）状態であって電源電力Ｐｗ１、Ｐｗ２が供給されていて、メイン制御部３０がオフ（ＯＦＦ）状態であって電源電力Ｐｗ３が供給されていない状態、第２省電力状態Ｊ２では、省電力制御部１０が、オン（ＯＮ）状態であって電源電力Ｐｗ１が供給されていて、Ｉ／Ｏ制御部２０とメイン制御部３０がオフ（ＯＦＦ）状態であって電源電力Ｐｗ２、Ｐｗ３が供給されていない状態、電源ＯＦＦ状態Ｊｆで、省電力制御部１０、Ｉ／Ｏ制御部２０及びメイン制御部３０が、オフ状態であって電源電力Ｐｗ１、Ｐｗ２、Ｐｗ３が供給されていない状態である。
【００５２】
そして、画像処理装置１は、電源オフ状態Ｊｆにおいて、電源スイッチＬＥＤ５２が押下されて電源スイッチ信号Ｓｗがアサートされると、電源制御回路６１、６２、６３が、それぞれ対応する省電力制御部１０、Ｉ／Ｏ制御部２０及びメイン制御部３０に、電源電力Ｐｗ１、Ｐｗ２、Ｐｗ３を供給して、省電力制御部１０、Ｉ／Ｏ制御部２０及びメイン制御部３０が動作可能な状態待機・動作状態Ｊｉに移行し、待機状態Ｊｉにおいて、動作要求がなく所定の待ち時間が経過すると、省電力制御部１０が、メイン制御部３０の電源制御回路６３に出力している電源制御信号Ｓｐ３をローレベルに切り替えて、電源制御回路６３からメイン制御部３０に供給している電源電力Ｐｗ３をオフさせて、第２省電力状態Ｊ２に移行する。省電力制御部１０は、第２省電力状態Ｊ２において、ネットワーク受信等が発生していないときには、Ｉ／Ｏ制御部２０の電源制御回路６２に出力している電源制御信号Ｓｐ２をローレベルに切り替えて、電源制御回路６２からＩ／Ｏ制御部２０に供給している電源電力Ｐｗ２をオフにさせて、第１省電力状態Ｊ１に移行する。また、省電力制御部１０は、第２省電力状態Ｊ２において、ネットワーク送受信が発生しているときには、該ネットワーク送受信が完了した後、所定の待ち時間が経過するのを待って、上記同様に、第１省電力状態Ｊ１に移行する。
【００５３】
そして、画像処理装置１は、図６に示したように、ＵＳＢ受信、ネットワーク受信、タイマトリガ、インクカートリッジカバーオープン及び操作部（操作表示部５）のキー入力を省電力復帰要因（省電力復帰条件）として省電力状態Ｊ１、Ｊ２から復帰するが、キー入力を復帰要因とする場合、本実施例の画像処理装置１では、１回のキー入力によって、第１省電力状態Ｊ１から第２省電力状態Ｊ２へ、さらに、もう１回のキー入力によって、第２省電力状態Ｊ２からウェークアップ状態Ｊｗを経由して待機状態Ｊｉに復帰する。
【００５４】
このキー入力を復帰要件とする場合、復帰要件とするキー操作列を、ユーザが操作表示部５の操作によって設定入力すると、メインＣＰＵ３１が操作監視部１２のキー登録部８４に登録し、状態制御・操作判定部８３が、操作表示部５で操作された操作キーが、キー登録部８４に登録されているキー操作列と一致するか否かによって、復帰要因であるか否か判定して、復帰要因であると、省電力状態Ｊ１、Ｊ２から待機状態Ｊｉに向かって順次状態を遷移させる。
【００５５】
すなわち、画像処理装置１は、図７に示すように、待機状態Ｊｉにおいて所定の待ち時間が経過して、省電力状態に移行(遷移Ｐ１)して、メイン制御部３０及びＩ／Ｏ制御部２０への電源供給を停止する第１省電力状態Ｊ１となり、状態制御・操作判定部８３は、この第１省電力状態Ｊ１では、キー登録部８４へのキー操作列のキー登録によって、例えば、キャンセルキーＬＥＤ５１を復帰キーとして操作を待っていて、それ以外の電源スイッチＬＥＤ５２等が操作された場合には、特に状態遷移を発生させない。
【００５６】
状態制御・操作判定部８３は、第１省電力状態Ｊ１において、キー登録部６４に登録されているキー操作列に含まれているキャンセルキーＬＥＤ５１のキー入力信号を検出すると、第１省電力状態Ｊ１からメイン制御部３０への電力供給のみを停止する第２省電力状態Ｊ２に移行（遷移Ｐ２）する。
【００５７】
状態制御・操作判定部８３は、この第２省電力状態Ｊ２では、キー登録部８４へのキー操作列のキー登録によって、例えば、電源スイッチＬＥＤ５２を復帰キーとして操作を待っていて、それ以外のキャンセルキーＬＥＤ５１等のキー入力信号を検出した場合には、特に状態遷移を発生させない。
【００５８】
状態制御・操作判定部８３は、第２省電力状態Ｊ２では、キー登録部６４に登録されている電源スイッチＬＥＤ５２のキー入力信号を検出すると、第２省電力状態Ｊ２から復帰するためのウェークアップ状態ＷＰに移行（遷移Ｐ４）し、省電力復帰条件が発生したと判断して、アイドル状態Ｊｉに移行（繊維Ｐ５）する。また、第２省電力状態Ｊ２において、電源スイッチＬＥＤ５２以外のキーが操作されたときには、状態制御・操作判定部８３は、第１省電力状態Ｊ１へ移行（遷移Ｐ３）させる。
【００５９】
上述のように、状態遷移の条件とするキー操作は、キー登録部８４に登録されているキー操作列のキー操作であり、上記電源スイッチＬＥＤ５２やキャンセルＬＥＤ５１に限るものではなく、ユーザが操作表示部５で設定操作して、メインＣＰＵ３１がキー登録部８４に登録したキー操作列によって判定する。
【００６０】
なお、上記説明では、キー操作を２段階のキー操作列で判定する場合について説明したが、２段階のキー操作列に限るものではなく、例えば、図８に示すように、３段階のキー操作列で判定してもよい。すなわち、省電力状態として、第１省電力状態Ｊ１、第２省電力状態Ｊ２、第３省電力状態Ｊ３を設け、待機状態Ｊｉで、待ち時間が経過するか省電力へ移行させるキー操作が行われると、最も消費電力の削減効果の高い第１省電力状態Ｊ１に移行（遷移Ｐ１）して、第１省電力状態Ｊ１において、操作表示部５での任意のキー操作によるキー入力信号が状態制御・操作判定部６３に入力されると、状態制御・操作判定部６３が、２番目に消費電力の削減効果の高い第２省電力状態Ｊ２に移行（遷移Ｐ２）する。そして、状態制御・操作判定部６３は、このとき入力されたキー信号を、図示しないレジスタ（操作内容記憶手段）に記憶する。また、第２省電力状態Ｊ２で、操作表示部での任意のキー操作によるキー入力信号が状態制御・操作判定部６３に入力されると、状態制御・操作判定部６３が、３番目に消費電力の削減効果の高い第３省電力状態Ｊ３に移行（遷移Ｐ３）する。そして、状態制御・操作判定部６３は、このとき入力されたキー信号を、図示しないレジスタに記憶する。すなわち、状態制御・操作判定部６３は、第１省電力状態Ｊ１で操作されたキー信号と第２省電力状態Ｊ２で操作されたキー信号を順番にレジスタに記憶する。
【００６１】
そして、状態制御・操作判定部６３は、第３省電力状態Ｊ３において、操作表示部５でのキー操作によってキー信号が入力されると、レジスタに記憶されている既に入力されたキーのキー信号とその入力に、第３省電力状態Ｊ３で入力されたキーのキー入力順を並べたキー信号列を、予めキー登録部８４に登録されている３種類のキー信号と該キー信号の入力順のキー信号列（キー操作列）を比較し、一致すると、省電力解除要因が発生したとして、ウェークアップ状態Ｊｗを経由（遷移Ｐ５）して、待機状態Ｊｉに復帰（遷移Ｐ６）する。
【００６２】
ところが、第３省電力状態Ｊ３で入力されたキー信号を含めて第１省電力状態Ｊ１及び第２省電力状態Ｊ２で入力されたキー信号の種類と入力順のキー信号列（キー操作列）がキー登録部８４に登録されているキー信号列（キー操作列）と一致しないときには、状態制御・操作判定部６３は、第１省電力状態Ｊ１に戻る（遷移Ｐ４）。
【００６３】
したがって、省電力状態Ｊ１から復帰するためには、予め登録されている３つのキー操作を登録されている順番で入力して初めて、待機状態Ｊｉに復帰する。
【００６４】
なお、図８において、第２省電力状態Ｊ２から第１省電力状態Ｊ１への移動経路（遷移経路）が設けられていないのは、第２省電力状態Ｊ２から第１省電力状態Ｊ１に移行させると、何回目のキー操作が間違っていたかが分かってしまうので、キー登録部８４に登録されているキー信号列が第３者に分かってしまうことを防止するとともに、キー操作を複数登録できるようにすると、２回目、３回目の操作を判定する際にそれ以前の操作とひもづける必要があり、回路が複雑になることを防止するためである。
【００６５】
なお、図８の場合、第１省電力状態Ｊ１から第２省電力状態Ｊ２へ移行すると、その後、最低２回キー操作を行わないと、第１省電力状態Ｊ１に戻らない。
【００６６】
なお、上記説明では、キー登録部８４に登録するキー信号列（キー操作列）が１種類の場合について説明したが、キー登録部８４に登録するキー信号列（キー操作列）は、１種類に限るものではなく、複数のキー信号列（キー操作列）を登録して、そのうちの１種類でも操作表示部５から入力されたキー操作のキー信号列（キー操作列）が一致すると、省電力復帰条件が発生したとして、待機状態Ｊｉに復帰するようにしてもよい。この場合、待機状態Ｊｉにおいて、ユーザ毎にキー信号列（キー操作列）を登録して、複数のユーザ毎に復帰のためのキー信号列（キー操作列）を使い分けてもよい。
【００６７】
そして、図７及び図８に示すように復帰要因となるキー操作を、より一層複雑にするためには、回路規模が増えるおそれがあるため、ある程度少ないキー操作とすることが望ましい。複雑なキー操作を必要とする場合は、一旦、Ｉ／Ｏ制御部２０に電源電力の供給を行う第２省電力状態Ｊ２に移行したときに、Ｉ／Ｏ制御部２０のＩ／Ｏ  ＣＰＵ２１を使用して、さらに複雑な復帰判定を行ってもよい。
【００６８】
このようにすることで、単純な誤操作等による省電力状態からの復帰を防止して、消費電力の削減効果を向上させることができるとともに、不審者等による故意の操作等から画像処理装置１の機密及び電力消費を、多少消費電力が大きい状態で、回避することができる。
【００６９】
そして、画像処理装置１は、上記複数回のキー操作による省電力状態からの復帰において、現在の省電力状態を安価にかつ容易にユーザに分かるように、例えば、操作表示部５のインクのニアエンドを通知する発光素子であるＣ用ＬＥＤ５３、Ｍ用ＬＥＤ５４、Ｙ用ＬＥＤ５５、Ｋ用ＬＥＤ５６を利用して、省電力状態を通知するようにしてもよい。
【００７０】
例えば、省電力制御部１０の操作監視部１２が、操作表示部５のＬＥＤ５１〜５６の点灯制御を行っているが、このＬＥＤ５１〜５６、特に、Ｃ用ＬＥＤ５３、Ｍ用ＬＥＤ５４、Ｙ用ＬＥＤ５５、Ｋ用ＬＥＤ５６の点灯／消灯を省電力状態に対応させて制御するデータ（省電力状態ＬＥＤ制御データ）を記憶するレジスタを備えており、ユーザが操作表示部５のキー操作によって、どの省電力状態でどのＬＥＤ５１〜５６を点灯／消灯させるかを指示操作すると、メインＣＰＵ３１が、該指示操作内容に応じた省電力状態ＬＥＤ制御データを操作監視部１２のレジスタに書き込む。
【００７１】
そして、操作監視部１２は、第１省電力状態Ｊ１、第２省電力状態Ｊ２、第３省電力状態Ｊ３に応じて、例えば、図９に示すように、Ｃ用ＬＥＤ５３、Ｍ用ＬＥＤ５４、Ｙ用ＬＥＤ５５、Ｋ用ＬＥＤ５６の点灯／消灯を制御する。なお、図９において、ハッチングの付与されているＬＥＤ５１〜５６は、消灯状態、ハッチングの施されていないＬＥＤ５１〜５６は、点灯状態を示している。すなわち、操作監視部１２は、第１省電力状態Ｊ１では、図９（ａ）に示すように、Ｃ用ＬＥＤ５３への電源信号をアサートして、Ｃ用ＬＥＤ５３のみを点灯させ、第２省電力状態Ｊ２では、図９（ｂ）に示すように、Ｍ用ＬＥＤ５４への電源信号をアサートして、Ｍ用ＬＥＤ５４のみを点灯させる。また、操作監視部１２は、第３省電力状態Ｊ３では、図９（ｃ）に示すように、Ｙ用ＬＥＤ５５への電源信号をアサートして、Ｙ用ＬＥＤ５５のみを点灯させる。
【００７２】
このようにすると、ＣＰＵ２１、３１への電源電力が停止されている状態においても、ＬＥＤ５１〜５６の点灯を制御して、省電力状態Ｊ１〜Ｊ３等をユーザに通知することができる。
【００７３】
このように、本実施例の画像処理装置１は、操作表示部５の複数の操作キーの組み合わせをキー操作列として予めキー登録部（キー記憶手段）８４に記憶し、電源電力の供給／供給停止が独立して制御可能な複数の機能手段であるＩ／Ｏ制御部２０、メイン制御部３０への電源電力の供給を停止している省電力状態において、省電力制御部１０が、操作表示部５での複数のキー操作内容を、該キー登録部８４のキー操作列と照らし合わせて、Ｉ／Ｏ制御部２０、メイン制御部３０への電源電力の供給開始を一括してまたは部分的に制御している。
【００７４】
したがって、ＣＰＵを搭載していない省電力制御部１０のみに電源電力を供給して少なくとも操作表示部５の複数のキー操作に基づく省電力復帰を可能とする省電力状態Ｊ１を実現することができ、ＣＰＵを用いることなく、複数のキー操作を省電力復帰条件として省電力状態から復帰して、省電力効果を向上させることができる。
【００７５】
また、本実施例の画像処理装置１は、キー登録部８４が、少なくとも３つの操作キーからなるキー操作列を記憶し、操作表示部５でのキー操作のキー操作列をレジスタ（操作内容記憶手段）に順次記憶して、キー登録部８４が記憶するキー操作列の操作キーの数よりも１つ少ない操作表示部５でのキー操作（図８の第２省電力状態Ｊ２でのキー操作）までは、操作表示部５でのキー操作毎に、複数のＩ／Ｏ制御部２０、メイン制御部３０への電力供給を選択的に開始するとともに、該キー操作をレジスタに順次キー操作列として記憶して、キー登録部８４が記憶する該キー操作列における操作キーの数に対応するキー操作が操作表示部５で行われると、レジスタのキー操作列をキー登録部８４のキー操作列と照らし合わせて、一致すると、全てのＩ／Ｏ制御部２０とメイン制御部３０への電源電力の供給を開始し、不一致であると、全てのＩ／Ｏ制御部２０とメイン制御部３０への電源電力の供給を停止している。
【００７６】
したがって、登録されているキー操作列の機密を保持しつつ、複雑なキー操作に基づく省電力解除をも、ＣＰＵを用いることなく、実現することができ、より一層適切かつ効果的に、省電力効果を向上させることができる。
【００７７】
さらに、本実施例の画像処理装置１は、キー登録部８４が、複数のキー操作列を記憶し、操作表示部５でのキー操作内容がキー登録部８４のいずれかのキー操作列に一致すると、電源電力の供給を開始してもよい。
【００７８】
したがって、画像処理装置１を複数ユーザで共有する場合に、ユーザ毎に復帰操作手順を設定することができ、ユーザビリティを向上させつつ、省電力効果を向上させることができる。
【００７９】
また、本実施例の画像処理装置１は、操作表示部５に複数のＬＥＤ（発光素子）５１〜５６を備えており、省電力制御部（省電力制御手段）１０が、複数のＩ／Ｏ制御部２０、メイン制御部３０への電源電力の供給段階である第１省電力状態Ｊ１、第２省電力状態Ｊ２、第３省電力状態Ｊ３等に応じてＬＥＤ５１〜５６、特に、ＬＥＤ５３〜５５を点灯さている。
【００８０】
したがって、ＣＰＵを用いることなく、消費電力を削減しつつ、現在の省電力状態をユーザに通知することができ、利用性を向上させることができる。
【００８１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００８２】
本発明は、複数の省電力状態を有する場合に、複数のキー操作の組み合わせをハードウェア的に判定して待機状態に戻る複写装置、プリンタ装置、ファクシミリ装置、複合装置、スキャナ装置等の画像処理装置に利用することができる。
【符号の説明】
【００８３】
１  画像処理装置
２  コントローラＬＳＩ
３  エンジン
４  ＲＯＭ
５  操作表示部
６  ＵＳＢメモリ
７  外部ＲＡＭ
１０  省電力制御部
１１  省電力復帰条件監視部
１２  操作監視部
１３  ＵＳＢペリフェラルＩ／Ｆ
１４  ＲＡＭ
１５  ＴＭＲ（タイマ）
２０  Ｉ／Ｏ制御部
２１  Ｉ／Ｏ  ＣＰＵ
２２  ネットワーク制御部
２３  メモリコントローラ
３０  メイン制御部
３１  メインＣＰＵ
３２  画像処理部
３３  エンジン制御部
３４  エンジンＩ／Ｆ
３５  外部バスＩ／Ｆ
３７  操作部Ｉ／Ｆ
３８  ＵＳＢホストＩ／Ｆ
４０  バス
５１  キャンセル（ＣＡＮＣＥＬ）キーＬＥＤ
５２  電源スイッチ（ＰＷＲ）ＬＥＤ
５３  Ｃ用ＬＥＤ
５４  Ｍ用ＬＥＤ
５５  Ｙ用ＬＥＤ
５６  Ｋ用ＬＥＤ
６１、６２、６３  電源制御回路
７１、７２、７３  電源監視回路
８１  ノイズフィルタ
８２  エッジ検出回路
８３  状態制御・操作判定部
８４  キー登録部
Ｓｐ１、Ｓｐ２、Ｓｐ３  電源制御信号
Ｐｗ１、Ｐｗ２、Ｐｗ３  電源電力
Ｊｉ  待機状態
Ｊ１  第１省電力状態
Ｊ２  第２省電力状態
Ｊ３  第３省電力状態
Ｊｆ  電源オフ状態
Ｊｗ  ウェークアップ状態
Ｐ１〜Ｐ６  遷移
【先行技術文献】
【特許文献】
【００８４】
【特許文献１】特開２００２−１３５４８７号公報
【図１】
0005772037.tif 000002
【図２】
0005772037.tif 000003
【図３】
0005772037.tif 000004
【図４】
0005772037.tif 000005
【図５】
0005772037.tif 000006
【図６】
0005772037.tif 000007
【図７】
0005772037.tif 000008
【図８】
0005772037.tif 000009
【図９】
0005772037.tif 000010